(57)【要約】【課題】  安全金具の取り付けを比較的安全に行なうことができると共に安全金具を取り外す必要なく繰り返して使用することができる屋根の安全金具の取付構造を提供する。【解決手段】  屋根作業用の安全ロープ１を結合するロープ結合片２を固定片３の軒側端部に設けて安全金具４を形成する。屋根６の棟部において屋根瓦７の上に安全金具４の固定片３を載置して固定することによって安全金具４を取り付ける。安全金具４の固定片３の上から屋根６の棟部に沿って笠木８を取り付ける。さらに笠木８を覆って棟カバー９を屋根６の棟部に取り付けると共に安全金具４のロープ結合片２を棟カバー９から突出させる。安全金具４の取り付けを棟部という屋根６の比較的安全な箇所で行なうことができ、しかも安全金具４は屋根６の奥の目立たない棟部において棟カバー９の下側に取り付けられており、安全金具４で外観を損ねるようなことがなく、安全金具４を取り外す必要がない。【選択図】  図１
2006257679.tif 000002
【特許請求の範囲】
【請求項１】
屋根作業用の安全ロープを結合するロープ結合片を固定片の軒側端部に設けて安全金具を形成し、屋根の棟部において屋根瓦の上に安全金具の固定片を載置すると共に固定片を固着具で屋根に固定することによって安全金具を屋根の棟部に取り付け、安全金具の固定片の上から屋根の棟部に沿って笠木を取り付け、笠木を覆って棟カバーを屋根の棟部に取り付けると共に安全金具のロープ結合片を棟カバーから軒側に突出させて成ることを特徴とする屋根の安全金具の取付構造。
【請求項２】
笠木の下面に安全金具の固定片が納められる凹部を形成して成ることを特徴とする請求項１に記載の屋根の安全金具の取付構造。
【請求項３】
棟カバーを上面片と上面片の軒側端縁に垂下される側面片を備えて形成し、笠木の軒側の側面と棟カバーの側面片との間に弾性パッキンを介在させ、笠木の軒側の側面と棟カバーの側面片との間で弾性パッキンを圧縮して弾性パッキンの下部を下方へ膨出させることによって、安全金具の固定片の上面から屋根瓦の上面にかけてこの膨出した弾性パッキンの下端部を弾接させて成ることを特徴とする請求項１又は２に記載の屋根の安全金具の取付構造。
【発明の詳細な説明】
【技術分野】
【０００１】
本発明は、命綱など屋根作業用の安全ロープを支持する安全金具の屋根への取付構造に関するものである。
【背景技術】
【０００２】
家屋を建築してから、屋根の点検や修理を行なったり、またテレビアンテナなどの設備を屋根に取り付けたりするために、屋根の上で作業を行なう必要のあることがある。この屋根の上の作業は高所での作業であるために危険であり、安全に作業をするために安全ロープを用いて行なわれる。そしてこのように安全ロープを使用する場合、屋根の上で安全ロープを支持することが必要である。
【０００３】
図５は安全金具４を用いて安全ロープ１を屋根６に支持するようにした一例を示すものであり、安全金具４はクランプ形状に形成してある。そして一対の安全金具４を屋根６の両側の軒先にクランプして取り付け、親命綱となる安全ロープ１ａを安全金具４，４間に張って取り付け、安全ベルト１５に一端を取り付けた子命綱となる安全ロープ１ｂの他端を、この親綱となる安全ロープ１ａに引っ掛けるようにしてある（特許文献１参照）。
【特許文献１】特開２０００−４５５３６号公報
【発明の開示】
【発明が解決しようとする課題】
【０００４】
上記のように安全金具４を用いて安全ロープ１を屋根６に支持することができるが、安全金具４は屋根６の軒先にクランプして取り付けるようにしているものであり、屋根作業を始める前に安全金具４を軒先に取り付け、また屋根作業が終了すると安全金具４を軒先から取り外す必要がある。しかし、安全金具４をこのように取り付けたり取り外したりする作業は軒先という屋根の先端で行なう必要があるため、この作業に危険を伴うという問題を有するものであった。
【０００５】
本発明は上記の点に鑑みてなされたものであり、安全金具の取り付けを比較的安全に行なうことができると共に安全金具を取り外す必要なく繰り返して使用することができる屋根の安全金具の取付構造を提供することを目的とするものである。
【課題を解決するための手段】
【０００６】
本発明の請求項１に係る屋根の安全金具の取付構造は、屋根作業用の安全ロープ１を結合するロープ結合片２を固定片３の軒側端部に設けて安全金具４を形成し、屋根６の棟部において屋根瓦７の上に安全金具４の固定片３を載置すると共に固定片３を固着具５で屋根６に固定することによって安全金具４を屋根６の棟部に取り付け、安全金具４の固定片３の上から屋根６の棟部に沿って笠木８を取り付け、笠木８を覆って棟カバー９を屋根６の棟部に取り付けると共に安全金具４のロープ結合片２を棟カバー９から軒側に突出させて成ることを特徴とするものである。
【０００７】
また請求項２の発明は、請求項１において、笠木８の下面に安全金具４の固定片３が納められる凹部１０を形成して成ることを特徴とするものである。
【０００８】
また請求項３の発明は、請求項１又は２において、棟カバー９を上面片１１と上面片１１の軒側端縁に垂下される側面片１２を備えて形成し、笠木８の軒側の側面と棟カバー９の側面片１２との間に弾性パッキン１３を介在させ、笠木８の軒側の側面と棟カバー９の側面片１２との間で弾性パッキン１３を圧縮して弾性パッキン１３の下部を下方へ膨出させることによって、安全金具４の固定片３の上面から屋根瓦７の上面にかけてこの膨出した弾性パッキン１３の下端部を弾接させて成ることを特徴とするものである。
【発明の効果】
【０００９】
本発明によれば、安全金具４の取り付けを棟部という屋根６の比較的安全な箇所で行なうことができるものであり、しかも安全金具４は屋根６の奥の目立たない棟部において、棟カバー９の下側に取り付けられているために、安全金具４で屋根６の外観を損ねるようなことがなく、安全金具４を取り外す必要なく、繰り返して使用することができるものである。
【発明を実施するための最良の形態】
【００１０】
以下、本発明を実施するための最良の形態を説明する。
【００１１】
図１は本発明の実施の形態の一例を示すものであり、１６は棟木、１７は棟木の両側に軒先方向に下り傾斜して取り付けられる垂木である。垂木１７の上には野地板１８が張ってあり、野地板１８の上には防水シート１９が敷設してある。そして防水シート１９の上に平板瓦などの屋根瓦７を葺設してある。屋根６を施工するにあたって、このように屋根瓦７を葺いた後に、安全金具４を屋根６の棟部に取り付ける。
【００１２】
安全金具４は、棟の両側の屋根勾配に沿う傾斜角度で山形（断面横く字形）に屈曲する固定片３の両側の軒側先端部に、ロープ結合片２を上方へ突出するように屈曲して設けることによって形成されるものであり、各ロープ結合片２には係止用孔２１が穿設してある。
【００１３】
そして上記のように棟部の両側に屋根瓦７を葺いた後、安全金具４の固定片３を棟の頂部を挟む両側の屋根瓦７の上に載置し、固定片３に穿設した固定孔２０に木ねじや釘等の固着具５を通して、固着具５を野地板１８や棟木１６などの屋根下構造材にねじ込み乃至打入することによって、安全金具４を屋根６の棟部に固定して取り付けることができるものである。安全金具４はピース物として形成されるものであり、屋根６の棟部に沿った複数箇所に取り付けられるものである。ここで、安全金具４の取り付けは、軒先のような屋根６の端部の危険な箇所でなく、屋根６の奥の比較的安全な棟部において、しかも屋根６の施工の一部として、特に危険を伴なうことなく行なうことができるものである。
【００１４】
次に、棟の頂部の両側にそれぞれ木材で形成される笠木８を棟部に沿って取り付ける。笠木８は安全金具４の固定片３の上から屋根瓦７の上面に載置されるものであり、笠木８から木ねじや釘等を屋根瓦７を通して野地板１８に打入することによって固定することができるものである。このように笠木８を安全金具４の固定片３の上から固定することによって、笠木８で安全金具４を押えることができ、安全金具４の取付強度を高めることができるものである。
【００１５】
この後に、棟カバー９を取り付けて、屋根６の棟を完成することができる。棟カバー９は板金加工等で形成されるものであり、棟の両側の屋根勾配に沿う傾斜角度で山形（断面横く字形）に屈曲する上面片１１の両軒側端縁に側面片１２を下方へ屈曲して垂下すると共に、各側面片１２の下端に水切り片２２を軒側へ屈曲して設けることによって形成してある。そしてこの棟カバー９を棟の両側の笠木８の上に被せ、棟カバー９の各側面片１２から釘や木ねじ等の固着具２３を笠木８に打入することによって、棟カバー９を棟の頂部を跨ぐように屋根６の棟部に取り付けることができるものである。
【００１６】
安全金具４の軒側端部のロープ結合片２は棟カバー９から軒側へ突出して露出しているものである。そしてこの安全金具４を利用して安全ロープ１を支持するにあたっては、図２に示すように、親命綱となる安全ロープ１ａをその両端の引掛け具２５をロープ結合片２の係止用孔２１に引っ掛けることによって、一対の安全金具４，４間に張って取り付け、作業者の腰に巻く安全ベルトに一端を取り付けた子命綱となる安全ロープ１ｂの他端の引掛け具２５を、この安全ロープ１ａに引っ掛けるようにして、行なうことができるものである。このように安全ロープ１を安全金具４によって屋根６の上に支持して、安全ロープ１を命綱として屋根６の上ので作業を行なうことができるが、安全金具４は屋根６の奥の目立たない棟部において、棟カバー９の下側に取り付けられているために、安全金具４で屋根６の外観を損ねるようなことはない。従って屋根６の上の作業が終わっても安全金具４を取り外す必要はなく、繰り返して使用することができるものである。
【００１７】
ここで、上記のように、笠木８は安全金具４の固定片３の上から屋根瓦７の上面に載置して取り付けられるものであり、固定片３の厚みのぶん、笠木８の下面と屋根瓦７の上面との間に隙間が生じる。図３（ａ）のように固定片３の両側で笠木８に固着具２７を打入しても、固定片３の両側において笠木８の下面と屋根瓦７の上面との間に隙間３０が生じることを避けることはできず、この隙間から雨水が浸入するおそれがある。そこでこの場合には、安全金具４の固定片３の厚み寸法と幅寸法と同じ深さと幅の凹部１０を、笠木８の下面にその軒棟方向の全長に設け、図３（ｂ）のようにこの凹部１０に安全金具４の固定片３を納めるようにして、笠木８を屋根瓦７の上に載置して取り付けるようにしてある。このように安全金具４の固定片３を笠木８の下面の凹部１０に納めることによって、笠木８の下面と屋根瓦７の上面との間に隙間が生じないようにすることができ、防水性を高めることができるものである。
【００１８】
また、棟カバー９の場合も、安全金具４の固定片３の上に側面片１２の下端や水切り片２２の下面が載置されるので、棟カバー９の下端と屋根瓦７の上面との間に隙間が生じるものであり、この隙間３１は図４（ａ）のように特に安全金具４の固定片３の両側に生じる。そこでこの隙間を埋めるために、図４（ｂ）のように棟カバー９の側面片１２と笠木８の軒側の側面との間に帯状のゴム等の弾性体で形成される弾性パッキン１３が設けてある。そして、棟カバー９の側面片１２から笠木８の軒側の側面に釘等の固着具２３を打入すると、棟カバー９の側面片１２が笠木８の軒側の側面に固着具２３の打入に伴って押し付けられる際に、弾性パッキン１３は棟カバー９の側面片１２と笠木８の軒側の側面との間で圧縮され、図４（ｃ）のように弾性パッキン１３の下部は下方へ膨出する。このように弾性パッキン１３の下部が下方へ膨出することによって、図４（ａ）のように弾性パッキン１３の下端が安全金具４の固定片３の上面から屋根瓦７の上面にかけて弾接し、棟カバー９の下端と屋根瓦７の上面との間の隙間を弾性パッキン１３で塞ぐことができるものであり、この隙間から雨水が浸入することを防ぐことができるものである。
【図面の簡単な説明】
【００１９】
【図１】本発明の実施の形態の一例を示す断面図である。
【図２】同上の安全金具の使用状態を示す斜視図である。
【図３】同上の笠木と安全金具を示すものであり、（ａ），（ｂ）はそれぞれ一部破断した斜視図である。
【図４】同上の棟カバーと笠木と安全金具を示すものであり、（ａ）は一部を破断した斜視図、（ｂ）及び（ｃ）は一部の断面図である。
【図５】従来例の概略図である。
【符号の説明】
【００２０】
１  安全ロープ
２  ロープ結合片
３  固定片
４  安全金具
５  固着具
６  屋根
７  屋根瓦
８  笠木
９  棟カバー
１０  凹部
１１  上面片
１２  側面片
１３  弾性パッキン
【図１】
2006257679.tif 000003
【図２】
2006257679.tif 000004
【図３】
2006257679.tif 000005
【図４】
2006257679.tif 000006
【図５】
2006257679.tif 000007